(57)【特許請求の範囲】
【請求項１】
画像を表示する表示部と、
外部装置を撮像する撮像部と、
前記外部装置に対して情報の送信を行うために発光する発光部と、
前記撮像部から出力される撮像データに基づき、前記外部装置の機種情報を認識する機種認識部と、
前記機種認識部により認識した前記機種情報に基づき、前記表示部に表示されている画像の画像データに対して画像処理を行う画像処理部と
を備え、
前記発光部は、前記画像処理部により画像処理を行った前記画像データを送信することを特徴とする撮像装置。
【請求項２】
前記外部装置の機種情報を記憶する機種記憶部を備え、
前記機種認識部は、前記撮像データに基づいて前記機種記憶部に記憶されている前記外部装置の機種情報を参照することにより前記機種情報を認識することを特徴とする請求項１記載の撮像装置。
【請求項３】
前記機種認識部は、前記外部装置の表示部に表示された前記機種情報を認識することを特徴とする請求項１記載の撮像装置。
【請求項４】
前記撮像データに基づいて画像データの送信が完了したか否かを判定する判定部を備え、
前記発光部は、前記判定部によって前記画像データの送信が完了したと判定した場合には、送信が完了した画像データの次の画像データを前記外部装置に対して送信し、前記判定部によって前記画像データの送信が完了していないと判定された場合には、送信が完了されていない画像データを再度前記外部装置に対して送信する
ことを特徴とする請求項１〜３の何れか一項に記載の撮像装置。
【請求項５】
前記発光部は、ＡＦ補助光を発光する光源であることを特徴とする請求項１〜４の何れか一項に記載の撮像装置。
【請求項６】
前記外部装置は、デジタルフォトフレームであることを特徴とする請求項１〜５の何れか一項に記載の撮像装置。
【請求項７】
画像及び情報を表示する表示部と、
明るさの変化に基づいた信号を受信するセンサと、
前記センサにより測定した明るさの変化が所定のパターンである場合、自機器の機種情報を前記表示部に表示する表示制御部と、
前記機種情報を表示した後に前記センサを介して撮像装置から送信される画像データの受信を行う画像データ受信部と
を備えることを特徴とするデジタルフォトフレーム。
【請求項８】
前記表示制御部は、前記画像データの受信を完了した場合に受信が完了した旨の表示を前記表示部に行い、前記画像データの受信を完了できなかった場合には受信ができなかった旨の表示を前記表示部に行うことを特徴とする請求項７記載のデジタルフォトフレーム。
【請求項９】
前記センサは、周囲環境の明るさを測定する調光センサであることを特徴とする請求項７または８記載のデジタルフォトフレーム。
【請求項１０】
画像を表示する第１表示部と、
外部装置を撮像する撮像部と、
前記外部装置に対して情報の送信を行うために発光する発光部と、
前記撮像部から出力される撮像データに基づいて前記外部装置の機種情報を認識する機種認識部と、
前記機種認識部により認識した前記機種情報に基づき、前記第１表示部に表示されている画像の画像データに対して画像処理を行う画像処理部と
を備え、
前記発光部を用いて前記画像処理部により画像処理を行った前記画像データを送信する撮像装置と、
画像及び情報を表示する第２表示部と、
明るさの変化に基づいた信号を受信するセンサと、
前記センサを介して前記画像データの受信を行う画像データ受信部と
を備えるデジタルフォトフレームと
を備えることを特徴とする画像転送システム。
【請求項１１】
前記発光部は、ＡＦ補助光を発光する光源であり、前記センサは、周囲環境の明るさを測定する調光センサであることを特徴とする請求項１０記載の画像転送システム。
【発明の詳細な説明】
【技術分野】
【０００１】
本発明は、撮像装置、デジタルフォトフレーム及び画像転送システムに関するものである。
【背景技術】
【０００２】
撮像装置からデジタルフォトフレームに対して画像データを転送する画像転送システムが知られている（例えば、特許文献１参照）。この画像転送システムにおいては、デジタルフォトフレームの載置部に撮像装置を載置し、撮像装置の背面液晶に表示されている画像の画像データを転送している。
【先行技術文献】
【特許文献】
【０００３】
【特許文献１】特開２００８−２５８８２６号公報
【発明の概要】
【発明が解決しようとする課題】
【０００４】
ところで、この画像転送システムにおいてはデジタルフォトフレーム及び撮像装置に画像データの転送に用いる専用の部品を追加する必要があり、追加の製造コストが必要となっていた。
【０００５】
本発明の目的は、画像データ転送に用いる部品を追加することなく、既存の部品を用いて画像データの転送を行うことができる撮像装置、デジタルフォトフレーム及び画像転送システムを提供することである。
【課題を解決するための手段】
【０００６】
本発明に係る撮像装置は、画像を表示する表示部と、外部装置を撮像する撮像部と、前記外部装置に対して情報の送信を行うために発光する発光部と、前記撮像部から出力される撮像データに基づき、前記外部装置の機種情報を認識する機種認識部と、前記機種認識部により認識した前記機種情報に基づき、前記表示部に表示されている画像の画像データに対して画像処理を行う画像処理部とを備え、前記発光部は、前記画像処理部により画像処理を行った前記画像データを送信することを特徴とする。
【０００７】
また、本発明に係るデジタルフォトフレームは、画像及び情報を表示する表示部と、明るさの変化に基づいた信号を受信するセンサと、前記センサにより測定した明るさの変化が所定のパターンである場合、自機器の機種情報を前記表示部に表示する表示制御部と、前記機種情報を表示した後に前記センサを介して撮像装置から送信される画像データの受信を行う画像データ受信部とを備えることを特徴とする。
【０００８】
また、本発明に係る画像転送システムは、画像を表示する第１表示部と、外部装置を撮像する撮像部と、前記外部装置に対して情報の送信を行うために発光する発光部と、前記撮像部から出力される撮像データに基づいて前記外部装置の機種情報を認識する機種認識部と、前記機種認識部により認識した前記機種情報に基づき、前記第１表示部に表示されている画像の画像データに対して画像処理を行う画像処理部とを備え、前記発光部を用いて前記画像処理部により画像処理を行った前記画像データを送信する撮像装置と、画像及び情報を表示する第２表示部と、明るさの変化に基づいた信号を受信するセンサと、前記センサを介して前記画像データの受信を行う画像データ受信部とを備えるデジタルフォトフレームとを備えることを特徴とする。
【発明の効果】
【０００９】
本発明に係る撮像装置、デジタルフォトフレーム及び画像転送システムによれば、画像データ転送に用いる部品を追加することなく、既存の部品を用いて画像データの転送を行うことができる。
【図面の簡単な説明】
【００１０】
【図１】本発明の実施の形態に係るカメラ及びデジタルフォトフレームを示す斜視図である。
【図２】本発明の実施の形態に係るカメラの背面を示す図である。
【図３】本発明の実施の形態に係るカメラのシステム構成を示すブロック図である。
【図４】本発明の実施の形態に係るデジタルフォトフレームのシステム構成を示すブロック図である。
【図５】本発明の実施の形態に係る画像データ転送処理を示すフローチャートである。
【発明を実施するための形態】
【００１１】
以下、図面を参照して本発明の実施の形態に係るカメラ、デジタルフォトフレーム及び画像転送システムについて説明する。図１は、実施の形態に係るカメラ及びデジタルフォトフレームの外観を示す斜視図であり、図２は、実施の形態に係るカメラの背面を示す図である。
【００１２】
図１に示すようにカメラ２は筐体４を備え、筐体４の前面には、撮影レンズ６、フラッシュ光を射出するフラッシュ光源８、合焦の際に被写体が低輝度である場合等に発光を行い、明滅パターンにより画像送信開始信号や画像データの送信を行うＬＥＤ等により構成されるＡＦ補助光源１０が設けられている。また、筐体４の上部には電源スイッチ１２、撮影モードの場合には撮像指示を行い、再生モードの場合には画像データの転送指示を行うレリーズボタン１４、カメラ撮影を行う撮影モードと画像データ記憶部４８に記憶した画像を背面モニタ１８に表示する再生モードとの切り替えを行うモード切替ボタン１６が設けられている。また、図２に示すように、筐体４の背面には、画像の再生指示を行う再生ボタン１５、画像の再生の終了指示を行う停止ボタン１７、液晶により構成され撮像された画像や撮影条件等を表示する背面モニタ１８、１枚表示やサムネイル表示等の画像の表示態様、撮影条件等を選択するマルチセレクタ２０、背面モニタ１８に表示される画像を前の画像に切り替える前画像表示ボタン１９、背面モニタ１８に表示される画像を次の画像に切り替える次画像表示ボタン２１が設けられている。
【００１３】
また、図１に示すようにデジタルフォトフレーム（以下、ＤＰＦという。）２２は、筐体２４を備え、筐体２４の前面には画像や時刻等の情報を電気的に表示するＬＣＤ表示部２６、音楽や音声を出力するスピーカ２８、本体の外部の周囲環境の明るさを測定し、特定のパターンの光の明滅を画像データまたは画像送信開始信号として検出する調光センサ３０が設けられ、上面にはＤＰＦ２２の電源のオン／オフ状態を切り替える電源スイッチ３２及びＤＰＦ２２の機能設定やＬＣＤ表示部２６の表示設定の際に使用する操作キー３４が設けられている。また、筐体２４の背面には、外部の商用電源から電源を得るＡＣアダプタ４０が接続されている。
【００１４】
図３は、実施の形態に係るカメラのシステム構成を示すブロック図である。カメラ２は、ＣＰＵ４２を備え、ＣＰＵ４２には、フラッシュ光源８、ＡＦ補助光源１０、操作部４４、撮影レンズ６を介した被写体光を撮像するＣＭＯＳまたはＣＣＤ等により構成される撮像素子４６、背面モニタ１８の表示制御を行うモニタ制御部４７、撮像した画像の画像データを記憶する画像データ記憶部４８、種々のＤＰＦの機種の外観画像データを記憶する機種記憶部５０、ＤＰＦ２２に対して画像データを送信する際にＤＰＦ２２の解像度に応じた画像処理を画像データに対して行う画像処理部５２が接続されている。ここで、操作部４４は、電源スイッチ１２、レリーズボタン１４、再生ボタン１５、モード切替ボタン１６、停止ボタン１７、前画像表示ボタン１９、マルチセレクタ２０、次画像表示ボタン２１を備えている。
【００１５】
また、図４は、実施の形態に係るＤＰＦのシステム構成を示すブロック図である。ＤＰＦ２２は、ＣＰＵ５４を備え、ＣＰＵ５４にはＬＣＤ表示部２６に表示される画像や情報等の表示輝度、色や色調等の表示制御を行う表示制御部５６、スピーカ２８から出力される音楽や音声の再生を行う再生制御部５８、表示制御部５６または再生制御部５８により出力する映像を一時的に記憶するバッファメモリ６０、ＪＰＥＧ方式で圧縮された画像データを再生可能に伸長するＪＰＥＧデコーダ、ＭＰＥＧ方式で圧縮された動画（映像）のデータを再生可能に伸長するＭＰＥＧデコーダ等を含むデコーダ６２、ＡＣアダプタ４０から電源の供給を受け電源の制御を行う電源制御部６４、ＤＰＦ２２の機能の設定や日時を表す情報画像を含む画像や音楽等のデータ、カメラ２から送信された画像データや送信開始信号を調光センサ３０を介して受信した場合の動作プログラムを記憶する内部メモリ６６、調光センサ３０、電源スイッチ３２及び操作キー３４が接続されている。ここで、電源制御部６４はＤＰＦ２に電源の供給を行うほか、バッテリ６８の充電制御を行う。
【００１６】
次に、図５に示すフローチャートを参照して実施の形態に係るカメラからＤＰＦへの画像データの転送処理について説明する。モード切替ボタン１６を操作して再生モードに設定し（ステップＳ１）、マルチセレクタ２０及び再生ボタン１５を操作して画像データ記憶部４８に記憶されている画像データから１の画像データを選択し、この画像データに基づく画像を背面モニタ１８に表示し再生を行う（ステップＳ２）。次に、レリーズボタン１４が操作されたか否かを判定する（ステップＳ３）。レリーズボタン１４が操作されない場合にはステップＳ２の処理に戻り画像の再生を継続する。
【００１７】
一方、レリーズボタン１４が操作された場合には撮像を行い（ステップＳ４）、撮像データに基づく画像にＤＰＦが含まれるか否かを形状等の外観から判定する（ステップＳ５）。撮像データに基づく画像にＤＰＦが含まれていない場合には、例えばモニタ制御部４７はその旨を背面モニタ１８に表示し、ステップＳ２に戻り画像の再生を継続する。
【００１８】
一方、撮像データに基づく画像にＤＰＦが含まれている場合には、ＤＰＦの機種情報の認識を行う。ここで、機種情報の認識は、撮像データに含まれているＤＰＦの画像データ（ＤＰＦの形状や色等）に基づいて機種記憶部５０に記憶されているＤＰＦの機種毎の機種情報を参照し（ステップＳ６）、機種記憶部５０に記憶されている機種情報に合致する場合にはＤＰＦの機種を特定する（ステップＳ７）。
【００１９】
撮像データに基づく画像に含まれるＤＰＦが機種記憶部５０に記憶されていない機種である場合にはステップＳ８の処理に進む。そして、ＡＦ補助光源１０は、ＤＰＦ２２に対して特定の明滅パターンを有する光を射出することより送信開始信号を送信する（ステップＳ８）。
【００２０】
ＤＰＦ２２は、調光センサ３０を介してカメラ２から送信された特定の光の明滅パターンを有する送信開始信号を受信する（ステップＳ２１）。ここで、調光センサ３０は本体の外部の周囲環境の明るさを測定し、測定された外部の明るさに応じて随時ＬＣＤ表示部２６の表示輝度を変化させることにも用いられる。この周囲環境の明るさの変化は、特定の光の明滅パターンにおける明るさの変化に比べて緩やかであるため、調光センサ３０により特定の明滅パターンを有する送信開始信号を受信することができる。なお、調光センサ３０は、ＬＥＤ等により構成されるＡＦ補助光源１０の指向角の範囲内、かつ、ＡＦ補助光源１０から射出された光の射程距離に位置する場合にＡＦ補助光源１０から射出された光を検出する。
【００２１】
次に、ＤＰＦ２２のＣＰＵ５４は、表示制御部５６を介してＬＣＤ表示部２６に送信開始信号の受信を完了した旨の表示を行う（ステップＳ２２）。送信開始信号の受信を完了した旨の表示は文字で表示してもよいし、図形で表示してもよい。また、このとき、ＤＰＦ２２は画像データの受信準備を行う。
【００２２】
カメラ２は撮像を行い（ステップＳ９）、撮像データにＤＰＦ２２のＬＣＤ表示部２６に表示された送信開始信号の受信を完了した旨の表示が含まれているかを確認し、ＤＰＦ２２による送信開始信号の受信が完了したか否かを確認する（ステップＳ１０）。送信開始信号の受信完了を確認できない場合には、ステップＳ８の処理に戻り再度送信開始信号の送信を行う。
【００２３】
一方、送信開始信号の受信完了を確認した場合には、ステップＳ７に示す処理で機種が特定できたかを判定する（ステップＳ１１）。機種が特定できた場合には、画像処理部５２は画像データに対して機種情報に応じたリサイズ処理を行う（ステップＳ１２）。例えば、撮影モードにおいてカメラ２により撮像する画像データが８ＭＢや１２ＭＢのＪＰＥＧ形式のものであり、ＤＰＦ２２のＬＣＤ表示部２６の解像度がＶＧＡである場合には、画像データをＶＧＡ（６４０×４８０ピクセル）画質とするリサイズ処理を行う。また、ＬＣＤ表示部２６の解像度がＱＶＧＡである場合には、画像データをＱＶＧＡ（３２０×２４０ピクセル）画質とするリサイズ処理を行う。
【００２４】
そして、ＡＦ補助光源１０は、ＤＰＦ２２に対して特定の明滅パターンを有する光を射出することより背面モニタ１８に表示している画像についてリサイズ処理が行われた画像データを送信する（ステップＳ１３）。
【００２５】
一方、ＤＰＦ２２の機種が特定できない場合には（ステップＳ１１：Ｎ）、ステップＳ１３の処理に進む。即ち、ステップＳ１３においては、リサイズ処理を行わない画像データをＤＰＦ２２に対して画像データを送信し、ＤＰＦ２２はＬＣＤ表示部２６に画像の表示を行う際にデコーダ６２によりリサイズ処理を行う。
【００２６】
ＤＰＦ２２は、調光センサ３０により特定の光の明滅パターンを検出し、カメラ２から送信された画像データを受信する（ステップＳ２３）。ここで、受信した画像データを内部メモリ６６に記憶する。次に、ＤＰＦ２２の表示制御部５６は、ＬＣＤ表示部２６に画像データの受信を完了した旨の表示を行う（ステップＳ２４）。画像データの受信を完了した旨の表示は文字で表示してもよいし、図形で表示してもよい。また、受信した画像データに基づく画像をＬＣＤ表示部２６に表示してもよい。なお、送信開始信号を受信してから所定時間以上経過した場合または画像データの受信を開始してから所定時間以上経過した場合において、画像データの受信を完了できない場合には表示制御部５６は、画像データの受信ができていない旨の表示をＬＣＤ表示部２６に行う。
【００２７】
カメラ２は撮像を行い（ステップＳ１４）、撮像データにＤＰＦ２２のＬＣＤ表示部２６に表示された画像データの受信を完了した旨の表示が含まれているかを確認し、ＤＰＦ２２による画像データの受信が完了したか否かを確認する（ステップＳ１５）。なお、画像データの受信完了を確認した場合には、画像データ記憶部４８に記憶されている画像データのＥｘｉｆ形式のファイルのヘッダ情報にＤＰＦ２２に対して送信した旨を書き込んでもよい。
【００２８】
画像データの受信完了を確認した場合には、次の画像を送信するか否かを判定する（ステップＳ１６）。即ち、例えば、次画像表示ボタン２１が操作された場合には次の画像を送信すると判定し、停止ボタン１７が操作された場合には次の画像を送信しないと判定する。次の画像を送信する場合には背面モニタ１８に次に送信する画像データに基づく画像を表示し（ステップＳ１７）、ステップＳ１３の処理に戻る。機種が特定できた場合は、ステップＳ１２の処理に戻る。一方、次の画像を送信しない場合には処理を終了する。
【００２９】
なお、画像データの送信を行う場合に、画像データ記憶部４８に記憶されている画像データのうち、Ｅｘｉｆ形式のファイルのヘッダ情報にＤＰＦ２２に対して送信した旨が書き込まれていない画像データの送信が完了するまで次の画像を送信してもよいし、所定時間以上操作されない場合に次の画像を送信しないと判定し処理を終了してもよい。
【００３０】
一方、ステップＳ１５において画像データの受信完了を確認できない場合には、ステップＳ１３の処理に戻り再度画像データの送信を行う。ここで、ステップＳ１５において画像データの受信完了を確認できない場合とは、例えば、画像データの送信を開始してから所定時間以上画像データの受信完了を確認できない場合やＤＰＦ２２のＬＣＤ表示部２６に画像データの受信が完了していない旨の表示がされていることを撮像データから認識した場合等である。
【００３１】
本実施の形態に係るカメラ、ＤＰＦ及び画像転送システムによれば、カメラのＡＦ補助光源及びＤＰＦの調光センサを画像の転送に用いるため、画像データ転送に用いる部品を追加することなく、既存の部品を用いて画像データの転送を行うことができる。また、カメラ、ＤＰＦ及び画像転送システムを安価に構成することができる。
【００３２】
また、本実施の形態に係るカメラ、ＤＰＦ及び画像転送システムによれば、メモリカードの抜き差しを行うことなく画像データの転送処理を行うことができ、転送処理にかかる手間を省くことができる。
【００３３】
また、本実施の形態に係るカメラ、ＤＰＦ及び画像転送システムによれば、カメラがＤＰＦの機種を認識することにより画像データに対してリサイズ処理を行うため、１の画像データの転送に必要な時間を減少させることができる。また、カメラの背面モニタに表示された１の画像を直感的な操作によりＤＰＦに転送することができる。
【００３４】
なお、上述の実施の形態においては、カメラ２の背面モニタ１８に表示された１の画像の画像データについてＤＰＦ２２に対して送信する構成を例に説明したが、背面モニタ１８にサムネイル表示された全ての画像の画像データをＤＰＦ２２に対して送信する構成としてもよい。また、サムネイル表示された画像の中からマルチセレクタ２０等により選択された画像のみをＤＰＦ２２に対して送信する構成としてもよい。また、画像データ記憶部４８に記憶された画像データ全てをＤＰＦ２２に対して送信する構成としてもよい。
【００３５】
また、上述の実施の形態において、ＤＰＦ２２のＣＰＵ５４は、表示制御部５６を介してＬＣＤ表示部２６に文字や図形を用いて送信開始信号の受信を完了した旨の表示を行う構成として説明したが、表示制御部５６を介してＬＣＤ表示部２６にＤＰＦ２２の機種や表示部２６の解像度の表示を行ってもよい。この場合には、カメラ２は、図５のフローチャートのステップＳ９に示す処理において撮像を行い、ステップＳ１１において撮像データに基づく画像からＤＰＦ２２の機種が特定できたか否か、または、ＬＣＤ表示部２６の解像度の情報が取得できたか否かの判定を行う。また、撮像データに基づく画像からＤＰＦ２２の機種が特定できた場合、または、解像度の情報が取得できた場合には、ステップＳ１２において機種情報または解像度の情報に基づいて画像処理部５２により画像データに対してリサイズ処理を行い、ステップＳ１３においてリサイズ処理を行った画像データをＡＦ補助光源１０を介してＤＰＦ２２に対して送信する。
【００３６】
また、ＤＰＦ２２にＬＡＮケーブルが接続されるネットワーク端子２９が設けられると共にネットワーク端子を介した有線によるＬＡＮ通信または無線ＬＡＮアクセスポイントを介した無線ＬＡＮ通信を行うＬＡＮモジュールが設けられ、かつ、カメラ２にＬＡＮモジュールが設けられていない場合においては、カメラ２からＤＰＦ２２に対して送信された画像データを内部メモリ６６に記憶せずに、ＬＡＮモジュールを介してサーバ上に転送してもよい。
【符号の説明】
【００３７】
２…カメラ、４…筐体、１０…ＡＦ補助光源、１４…レリーズボタン、１６…モード切替ボタン、１８…背面モニタ、２２…ＤＰＦ、２６…ＬＣＤ表示部、３０…調光センサ、４２…ＣＰＵ、４６…撮像素子、５０…機種記憶部、５２…画像処理部、５４…ＣＰＵ
【図１】
0005515678.tif 000002
【図２】
0005515678.tif 000003
【図３】
0005515678.tif 000004
【図４】
0005515678.tif 000005
【図５】
0005515678.tif 000006